(57)【特許請求の範囲】
【請求項１】
動力を発生させる駆動源と、
子宮頸部または膣における子宮口周辺の患部に接触する接触部と、
前記駆動源によって発生した動力を前記接触部に伝達する動力伝達部と、
前記接触部の位置を操作する操作部と、を備え、
前記接触部は、子宮頸癌の治療又は予防を行うために、前記駆動源によって駆動されつつ前記操作部により操作されることにより、前記患部の組織を擦り取ることで前記組織内におけるヒトパピローマウイルスを除去する
ことを特徴とするウイルス除去装置。
【請求項２】
前記動力伝達部は、前記駆動源により駆動される長尺の駆動軸を有し、
前記接触部は、前記駆動軸の回転に伴い回転する
ことを特徴とする請求項１に記載のウイルス除去装置。
【請求項３】
前記接触部は、正回転及び逆回転のいずれの方向にも回転可能に構成される
ことを特徴とする請求項２に記載のウイルス除去装置。
【請求項４】
前記接触部は、円錐状に構成される
ことを特徴とする請求項１乃至３のいずれか１項に記載のウイルス除去装置。
【請求項５】
前記接触部は、中央部が円錐状に構成され、前記中央部から連続して配置される周縁部が皿状に湾曲するように構成される
ことを特徴とする請求項１乃至３のいずれか１項に記載のウイルス除去装置。
【請求項６】
前記接触部において前記患部と接触する接触面は、凸部と凹部を有し、
前記凸部または前記凹部は、前記接触面において格子状に形成される
ことを特徴とする請求項１乃至５のいずれか１項に記載のウイルス除去装置。
【請求項７】
前記接触部は、四角形状の部材にて構成され、
前記四角形状の部材の外周に形成され前記患部と接触する接触面には、突起が形成される
ことを特徴とする請求項１乃至３のいずれか１項に記載のウイルス除去装置。
【請求項８】
前記接触部は、複数の前記四角形状の部材から構成される
ことを特徴とする請求項７に記載のウイルス除去装置。
【請求項９】
前記動力伝達部は、長尺部と、前記長尺部に対して交差する方向に配置され前記駆動源により駆動される駆動軸とを有し、
前記接触部は、前記駆動軸の回転に伴い回転する
ことを特徴とする請求項１に記載のウイルス除去装置。
【請求項１０】
前記動力伝達部は、長尺部と、前記長尺部に対して交差する方向に配置され前記駆動源により駆動される駆動軸とを有し、
前記接触部は、前記駆動軸の揺動に伴い揺動する
ことを特徴とする請求項１に記載のウイルス除去装置。
【請求項１１】
前記動力伝達部は、前記駆動源により駆動される長尺部を有し、
前記接触部は、前記長尺部に対して交差する方向に配置され、かつ前記患部に近づく方向と離れる方向との間で往復運動する
ことを特徴とする請求項１に記載のウイルス除去装置。
【請求項１２】
前記動力伝達部は、前記駆動源により駆動される長尺部を有し、
前記接触部は、前記長尺部に対して交差する方向に配置され、かつ前記患部における接触面と平行となる方向において往復運動する
ことを特徴とする請求項１に記載のウイルス除去装置。
【請求項１３】
前記接触部は、三角形状の部材にて構成される
ことを特徴とする請求項９乃至１２のいずれか１項に記載のウイルス除去装置。
【請求項１４】
前記接触部において前記患部と接触する接触面には、複数の突起が形成される
ことを特徴とする請求項９乃至１３のいずれか１項に記載のウイルス除去装置。
【請求項１５】
前記接触部は、交換可能に構成される
ことを特徴とする請求項１乃至１４のいずれか１項に記載のウイルス除去装置。
【請求項１６】
前記接触部は、軟質の素材により構成される
ことを特徴とする請求項１乃至１５のいずれか１項に記載のウイルス除去装置。
【請求項１７】
前記患部に対して光を照射する光照射部を備える
ことを特徴とする請求項１乃至１６のいずれか１項に記載のウイルス除去装置。
【請求項１８】
前記操作部は、前記動力伝達部と一体的に構成され、ユーザが把持するための把持部を有する
ことを特徴とする請求項１乃至１７のいずれか１項に記載のウイルス除去装置。
【請求項１９】
前記駆動源は、前記操作部と一体的に配置される
ことを特徴とする請求項１乃至１８のいずれか１項に記載のウイルス除去装置。
【請求項２０】
前記駆動源の駆動を制御する駆動制御部を備え、
前記駆動制御部は、操作者の指示に基づいて前記駆動源の駆動を制御する
ことを特徴とする請求項１乃至１９のいずれか１項に記載のウイルス除去装置。
【請求項２１】
請求項１乃至２０のいずれか１項に記載のウイルス除去装置と、
前記患部の位置を検出する検出部と、
前記駆動源及び前記操作部の制御を行う制御部と、を備え、
前記制御部は、前記検出部の検出結果に基づいて前記操作部の位置を操作することで、前記接触部により前記患部の組織を擦り取る
ことを特徴とするウイルス除去システム。
【発明の詳細な説明】
【技術分野】
【０００１】
本発明は、子宮頸癌の治療または予防に関するウイルス除去装置及びウイルス除去システムに関する。
【背景技術】
【０００２】
子宮頸癌は、そのほぼ全てにヒトパピローマウイルス（ＨＰＶ：Ｈｕｍａｎ  Ｐａｐｉｌｌｏｍａｖｉｒｕｓ）の感染が関連している病である。ＨＰＶは、子宮頸部の上皮細胞に前癌病変を引き起こし、前癌病変が子宮頸癌に発展する。子宮頸癌は、日本において年間約３００００人が罹患し、そのうち約３０００人を死に至らしめる深刻な病である。
【０００３】
子宮頸癌の治療法は、切除による外科治療、放射線治療、化学療法等が一般的であり、その他レーザ治療（例えば、特許文献１参照）、電磁波による治療（例えば、特許文献２参照）、特殊な薬液を患部に注入し光照射して生体内のウイルス排除機能を活性化させることによる治療（例えば、特許文献３参照）等、複数存在する。これらは、それぞれ単独で行われるばかりではなく、組み合わせて行われることもある。
【先行技術文献】
【特許文献】
【０００４】
【特許文献１】特開２０１５−３３５０４号公報
【特許文献２】特開２０１４−６１２２９号公報
【特許文献３】特開平１０−７１２１２号公報
【発明の概要】
【発明が解決しようとする課題】
【０００５】
しかしながら、切除による外科治療、放射線治療、化学療法は、癌細胞とともに正常な細胞や組織に影響を与えてしまう。すると、副作用のおそれがあるのみならず、治癒の効率が悪いという課題がある。また、レーザによる治療は上皮の表面上の治療となるため、治癒の効率が悪いおそれがある。また、レーザによる治療、マイクロ電磁波による治療、薬液注入後に光照射をすることによる治療は、レーザ、マイクロ電磁波、光などを発生させるためまたは制御するための大掛かりな設備が必要である。このため、装置が大型化してしまう。
【０００６】
また、子宮頸癌の場合、ＨＰＶに感染した細胞は、すぐに癌細胞になるのではなく、異形成の状態を経て癌細胞になる。このため、細胞が異形成の状態になったことが判明した場合、判明した時点でＨＰＶを除去すれば、子宮頸癌を効果的に予防することができる。
【０００７】
そこで、本発明は、シンプルな構成で確実かつ安全に子宮口周辺及び膣のウイルスを除去するウイルス除去装置及びウイルス除去システムを提供することを目的とする。
【課題を解決するための手段】
【０００８】
本発明のウイルス除去装置（１、２、３、４、５、６、７、８）における代表的な構成は、動力を発生させる駆動源（１０）と、子宮頸部または膣における子宮口（Ｕ）周辺の患部に接触する接触部（２０、２１、２２、２３、２４、２５、２６）と、駆動源によって発生した動力を接触部に伝達する動力伝達部（３０、３４、３７、３８）と、接触部の位置を操作する操作部（４０、４７）と、を備え、接触部は、子宮頸癌の治療又は予防を行うために、駆動源によって駆動されつつ操作部により操作されることにより、患部の組織を擦り取ることで前記組織内におけるヒトパピローマウイルスを除去することを特徴とする。このように、接触部が患部に接触して組織を擦り取ることで、組織に含まれるウイルスを除去する。これにより、確実に子宮口周辺及び膣のウイルスを除去することができる。一方で、組織は再生されるため、治療による副作用のおそれが極めて少ない。これにより、安全に子宮口周辺及び膣のウイルスを除去することができる。また、接触部の大きさは膣口に挿入可能な程度の小さいものであり、駆動源の出力は、接触部を駆動する程度の小さな出力でよいため、大掛かりな設備を必要としない。このため、ウイルス除去装置をシンプルな構成とすることができる。さらに、ユーザ等の操作者が操作部の位置を操作して患部に対して接触部を接触または押圧するだけで、駆動源により駆動される接触部が患部の組織を除去する。これにより、接触部を手作業で動かして組織を擦り取る場合と比較して、患部の組織を効率よく擦り取ることができる。
【０００９】
上記のウイルス除去装置（１、２、３、４、５）において、動力伝達部（３０、３４、３７）は、駆動源（１０）により駆動される長尺の駆動軸（３１、３３）を有し、接触部（２０、２１）は、駆動軸の回転に伴い回転することとしてもよい。このように、接触部が回転駆動すると、ユーザが回転動作を行う必要がなくなり、患部の組織を効率よく擦り取ることができる。
【００１０】
上記のウイルス除去装置（１、２、３、４、５）において、接触部（２０、２１）は、正回転及び逆回転のいずれの方向にも回転可能に構成されることとしてもよい。これにより、一方向のみに回転する場合と比較して、患部の組織をさらに効率よく擦り取ることができる。
【００１１】
上記のウイルス除去装置（１、２）において、接触部（２０、２１）は、円錐状に構成されることとしてもよい。このように、接触部を円錐状に構成すると、円錐状における先端は子宮口に入りやすくなるとともに、円錐状の接触部の側面は子宮口周辺の子宮頸管部に効果的に接触する。ところで、子宮頸癌の原因であるＨＰＶは、子宮口周辺の扁平上皮円柱上皮境界（Ｓｑｕａｍｏ−ｃｏｌｕｍｎａｒ  Ｊｕｎｃｔｉｏｎ：ＳＣＪ）に感染しやすいため、ＳＣＪは子宮頸癌の好発部位である。このため、接触部を円錐状に構成して、接触部の側面を子宮口周辺の子宮頸管部に接触させることで、接触部の側面がＳＣＪの広い範囲に接触することとなる。これにより、患部の組織の除去を効率よく行うことができる。
【００１２】
上記のウイルス除去装置（３）において、接触部（２２）は、中央部（２２ａ）が円錐状に構成され、中央部から連続して配置される周縁部（２２ｂ）が皿状に湾曲するように構成されることとしてもよい。このように、接触部の中央部を円錐状に構成することで、中央部の先端が子宮口に入りやすくなる。そして、円錐状の中央部の側面は、子宮口周辺の子宮頸管部に効果的に接触する。また、接触部における周縁部を皿状に湾曲するように構成することで、子宮口に近い膣円蓋部に対して接触部の周縁部が接触する。子宮頸癌の原因となるＨＰＶは膣円蓋部にも存在し得る。このため、上述の接触部の構成により、接触部が子宮口周辺及び膣の広い範囲で組織を除去する。これにより、患部の組織をさらに効率よく擦り取ることができる。
【００１３】
上記のウイルス除去装置（１、２）において、接触部（２１）において患部と接触する接触面は、凸部（２１ａ）と凹部（２１ｂ）を有し、凸部（２１ａ）または凹部（２１ｂ）は、接触面において格子状に形成されることとしてもよい。このように構成することで、接触面が平滑な場合と比較して凸部（２１ａ）が患部の組織を除去しやすくなるため、患部の組織の除去をさらに効率よく行うことができる。
【００１４】
上記のウイルス除去装置（４、５）において、接触部（２３、２４）は、四角形状の部材にて構成され、四角形状の部材の外周に形成され患部と接触する接触面には、突起（２３ａ、２４ａ）が形成されることとしてもよい。このように、接触部を四角形状の部材として接触面に突起を設けると、突起が患部の組織を除去するため、患部の組織の除去を効率よく行うことができる。
【００１５】
上記のウイルス除去装置（５）において、接触部（２４）は、複数の四角形状の部材（２４Ａ、２４Ｂ）から構成されることとしてもよい。このように、複数の部材を用いることで、接触部の接触面が広くなる。これにより、患部の組織の除去を効率よく行うことができる。
【００１６】
上記のウイルス除去装置（６）において、動力伝達部（３８）は、長尺部（３５）と、長尺部に対して交差する方向に配置され駆動源（１０）により駆動される駆動軸（３６）とを有し、接触部（２５、２６）は、駆動軸の回転に伴い回転することとしてもよい。このように、長尺部と交差する方向に配置される駆動軸を中心に接触部を配置することで、接触部が膣円蓋部に対して効率よく接触する。また、駆動源の動力が接触部を回転させることで、接触部が組織を擦り取る作業を補助する。これにより、患部の組織の除去を効率よく行うことができる。
【００１７】
上記のウイルス除去装置（７）において、動力伝達部（３８）は、長尺部（３５）と、長尺部に対して交差する方向に配置され駆動源（１０）により駆動される駆動軸（３６）とを有し、接触部（２５、２６）は、駆動軸の揺動に伴い揺動することとしてもよい。このように、長尺部と交差する方向に配置される駆動軸を中心に接触部を配置することで、接触部が膣円蓋部に対して効率よく接触する。また、駆動源の動力が接触部を揺動させることで、接触部が組織を擦り取る作業を補助する。これにより、患部の組織の除去を効率よく行うことができる。
【００１８】
上記のウイルス除去装置（８）において、動力伝達部（３８）は、駆動源（１０）により駆動される長尺部（３５）を有し、接触部（２５、２６）は、長尺部に対して交差する方向に配置され、かつ、患部に近づく方向と離れる方向との間で往復運動するまたは前記患部における接触面と平行となる方向において往復運動することとしてもよい。このように、長尺部と交差する方向に接触部を配置することで、接触部が膣円蓋部に対して効率よく接触する。また、接触部を往復運動させることで、ユーザが接触部を往復運動させる必要がない。さらに、接触部が患部に近づく方向と離れる方向において往復運動することとすると、接触部の往復運動により叩かれた組織の内部にあるウイルスが組織の表面側に浮き立つように移動する。これにより、ウイルスの除去がしやすくなる。
【００１９】
上記のウイルス除去装置（６、７、８）において、接触部（２５、２６）は、三角形状の部材にて構成されることとしてもよい。このように、三角形状の部材にて構成されると、患部の組織の除去を効率よく行うことができる。
【００２０】
上記のウイルス除去装置（６、７、８）において、接触部（２６）において患部と接触する接触面には、複数の突起（２６ａ）が形成されることとしてもよい。このように、接触面に突起が形成されることで、突起が患部の組織の除去を効率よく行うことができる。
【００２１】
上記のウイルス除去装置（１、２、３、４、５、６、７、８）において、接触部（２０、２１、２２、２３、２４、２５、２６）は、交換可能に構成されることとしてもよい。これにより、接触部の形状や大きさを患部に合わせて変更することができるため、患部の組織の除去を効率よく行うことができる。また、接触部を清潔な状態のものに交換することで、衛生状態を良好に保てるため、治療を安全にすることができる。
【００２２】
上記のウイルス除去装置（１、２、３、４、５、６、７、８）において、接触部（２０、２１、２２、２３、２４、２５、２６）は、軟質の素材により構成されることとしてもよい。これにより、患部を傷つけることなく、組織の除去をさらに安全に行うことができる。
【００２３】
上記のウイルス除去装置（１、２、３、４、５、６、７、８）において、患部に対して光を照射する光照射部（５０）を備えることとしてもよい。これにより、光照射部から照射された光が患部を照らすので、患部における視認性が高まる。これにより、患部の組織の除去をさらに効率よく行うことができる。
【００２４】
上記のウイルス除去装置（１、２、３、４、５、６、７、８）において、操作部（４０、４７）は、動力伝達部（３０、３４、３７、３８）と一体的に構成され、ユーザが把持するための把持部（４５、４６）を有することとしてもよい。このような構成とすれば、ユーザが把持部を把持して操作部を動かすと、操作部と一体的に構成される動力伝達部を介して接触部（２０、２１、２２、２３、２４、２５、２６）を直接操作することができる。
【００２５】
上記のウイルス除去装置（１、２、３、４、５、６、７、８）において、駆動源（１０）は、操作部（４０、４７）と一体的に配置されることとしてもよい。このように構成することで、駆動源を別途持ち運ぶ必要がなく、シンプル且つ携帯性に優れた構成となる。
【００２６】
上記のウイルス除去装置（１、２、３、４、５、６、７、８）において、駆動源（１０）の駆動を制御する駆動制御部（１１）を備え、駆動制御部は、操作者の指示に基づいて駆動源の駆動を制御することとしてもよい。このように構成することで、操作者の所望の制御を駆動源に伝達することができる。
【００２７】
また、本発明のウイルス除去システム（８０）の構成として、上述のウイルス除去装置（１、２、３、４、５、６、７、８）と、患部の位置を検出する検出部（８１）と、駆動源（１０）及び操作部（４０、４７）の制御を行う制御部（８２）と、を備え、制御部は、検出部の検出結果に基づいて操作部の位置を操作することで、接触部（２０、２１、２２、２３、２４、２５、２６）により患部の組織を擦り取ることとしてもよい。このような構成とすることにより、操作部の操作をユーザによらずとも行うことができる。
【００２８】
なお、上記の括弧内の符号は、後述する実施形態の対応する構成要素の符号を本発明の一例として示したものである。
【発明の効果】
【００２９】
本発明のウイルス除去装置によれば、シンプルな構成で確実かつ安全に子宮口周辺及び膣のウイルスを除去することができる。
【図面の簡単な説明】
【００３０】
【図１】第１実施形態のウイルス除去装置の全体斜視図である。
【図２】第１実施形態のウイルス除去装置の動作説明図である。
【図３】第１実施形態の変形例の接触部を示す図である。
【図４】第１実施形態の変形例の把持部を示す図である。
【図５】第２実施形態のウイルス除去装置の全体斜視図である。
【図６】第２実施形態のウイルス除去装置の動作説明図である。
【図７】第３実施形態のウイルス除去装置の全体斜視図である。
【図８】第３実施形態のウイルス除去装置の動作説明図である。
【図９】第３実施形態の変形例を示す図である。
【図１０】第４実施形態のウイルス除去装置の全体斜視図である。
【図１１】第４実施形態のウイルス除去装置の動作説明図である。
【図１２】第４実施形態の変形例の接触部を示す図である。
【図１３】第４実施形態において接触部が揺動する例を示す図である。
【図１４】第４実施形態において接触部が前後方向に振動する例を示す図である。
【図１５】第４実施形態において接触部が前後方向に振動する例の動作説明図である。
【図１６】第４実施形態において接触部が左右方向に振動する例の動作説明図である。
【図１７】ウイルス除去システムの模式図である。
【発明を実施するための形態】
【００３１】
以下に、本発明のウイルス除去装置及びウイルス除去システムの好ましい実施形態を、添付の図面に基づいて詳細に説明する。以下の説明においては、ウイルス除去装置の全ての実施形態について説明をしたのち、ウイルス除去システムの実施形態を説明する。
【００３２】
また、以下の説明において、「組織」とは、子宮口周辺及び膣において、ＨＰＶが感染する可能性のある細胞組織全般を示す。すなわち、以下の説明の「組織」には、粘膜、上皮細胞、子宮組織、膣組織を含む。
【００３３】
［第１実施形態］
第１実施形態のウイルス除去装置１について、図面を用いて説明する。図１は、第１実施形態のウイルス除去装置の全体斜視図である。図１に示すように、ウイルス除去装置１は、動力を発生させる駆動源１０と、患部に接触する接触部２０と、駆動源１０によって発生した動力を接触部２０に伝達する動力伝達部３０と、接触部２０の位置を操作する操作部４０と、患部に対して光を照射する光照射部５０とを備える。
【００３４】
駆動源１０は、本実施形態では装置の小型化を図るため、操作部４０の内部に収容しうる小型のモータを例示している。しかしながら、駆動源１０の構成はこれに限るものではなく、動力を発生しうるものであれば、他の手段であってもよい。
【００３５】
接触部２０は、駆動軸３１の軸方向（以下、単に「軸方向」ともいう）において操作部４０と反対側の駆動軸３１端部に付帯される。接触部２０は、子宮口周辺または膣の患部に接触して、患部の組織を擦り取るための部材である。接触部２０の大きさは、膣口及び膣内に挿入可能な程度の大きさである。
【００３６】
接触部２０の材質は、軟質の素材が好ましい。これにより、患部を傷つけることなく、組織の除去をさらに安全に行うことができる。軟質の素材としては、介護用歯ブラシ等の素材である軟質のスポンジが好ましい。ただし、接触部２０の材質は、これに限るものではなく、患部の組織を安全に擦り取ることが可能な材質であればよい。このため、接触部２０の材質は、シリコンやゴム等の樹脂素材から広く選択することができる。
【００３７】
本実施形態の接触部２０は、円錐状に構成される。具体的には、接触部２０は、軸方向と直交する径方向における接触部２０の大きさが、先端（軸方向において動力伝達部３０がある方向と反対側の端部）から動力伝達部３０に近くなるに連れて、次第に大きくなるように構成される。接触部２０の先端の大きさは、子宮口に入り込む程度の大きさである。なお、本実施形態では、接触部２０は、先端から動力伝達部３０に近くなるに連れて連続的に径が大きくなる円錐状である。しかしながら、これに限るものではなく、接触部２０の側面の一部に同径からなる円柱状の部分が含まれていてもよい。
【００３８】
動力伝達部３０は、駆動源１０によって発生した動力を接触部２０に伝達する部分である。本実施形態の動力伝達部３０は、回転軸３０Ａと、駆動軸３１と、取付部材３２を有する。回転軸３０Ａは、操作部４０と一体的に構成され、駆動源１０の動力で回転する。駆動軸３１は、回転軸３０Ａの動力が伝達される長尺の軸であり、少なくとも、接触部２０を子宮口に到達させることができる程度の長さに構成される。取付部材３２は、駆動軸３１を回転軸３０Ａに対して取り付けるための部材である。取付部材３２によって回転軸３０Ａと駆動軸３１が連結されると、回転軸３０Ａの動力が取付部材３２を介して駆動軸３１へと伝達される。取付部材３２は、少なくとも駆動軸３１との間で着脱可能である。このため、駆動軸３１及び駆動軸３１と一体に構成される接触部２０は、交換可能である。
【００３９】
また、動力伝達部３０は、その全体または一部が可撓性を有する構造であることが好ましい。本実施形態の場合、回転軸３０Ａや駆動軸３１自体がたわむ構成でもよいし、取付部材３２がたわむ構成でもよいし、その両方がたわむ構成でもよい。これにより、患部に適度な圧力を与えることで組織の除去を効果的に行うとともに、患部に過剰な圧力を与えることを防止することで組織の除去を安全に行うことができる。
【００４０】
操作部４０は、ユーザ等の操作者が持って動かすことで、接触部２０の位置を操作する部分である。本実施形態の操作部４０は、本体４０Ａの表面に配置される駆動指示部４１と、本体４０Ａの表面に形成される把持部４５を有する。駆動指示部４１は、ボタンやスイッチ等の入力手段で構成される。把持部４５は、人の手で握りやすい柱状に形成され、かつ操作しやすい大きさに形成されている。なお、把持部４５の表面には、滑りにくくするための凹凸形状を施してもよいし、滑り止め部材を付帯することとしてもよい。
【００４１】
また、本実施形態の操作部４０は、本体４０Ａの内部に、駆動源１０と、駆動源１０を制御する駆動制御部１１を有する。本実施形態の駆動源１０は、本体４０Ａに配置される回転軸３０Ａを回転駆動する。駆動制御部１１は、駆動指示部４１の指示に従い、駆動源１０の駆動を制御する。具体的には、駆動制御部１１は、駆動源１０の駆動開始や駆動停止のほか、回転数、回転方向、回転時間をも制御する。
【００４２】
光照射部５０は、ＬＥＤライト等により構成され、操作部４０における接触部２０側の面に備え付けられている。光照射部５０は、少なくとも接触部２０方向に光を照射する。本実施形態の光照射部５０は、回転軸３０Ａを中心とした周面において、周方向に所定の間隔をおいて操作部４０に複数取り付けられており、患部を確実に明るくすることができる。しかしながら、光照射部５０の配置はこれに限るものではなく、一つの光源であってもよい。また、光照射部５０は、ＬＥＤライトでなくともよく、電球その他の光源であってもよい。
【００４３】
なお、本実施形態の光照射部５０は、光源のみで構成されているが、これに限るものではない。例えば、光照射部５０として、光源のほかに、所定の方向に光を誘導するための反射鏡を有することとしてもよく、また、光を拡散させるための構成を有することとしてもよい。
【００４４】
この構成により、ユーザが駆動指示部４１を用いて指示をすると、駆動制御部１１が駆動源１０を用いて回転軸３０Ａを回転させる。回転軸３０Ａの回転は、取付部材３２を介して駆動軸３１に伝達され、駆動軸３１の先端に配置される接触部２０に伝達される。このため、接触部２０は、駆動軸３１を中心軸として回転する。また、駆動軸３１は、一方向（正回転方向）に回転するのみならず、他方向（逆回転方向）にも回転する。このため、接触部２０は、正回転方向にも逆回転方向にも回転する。接触部２０の回転方向は、操作者が駆動指示部４１を用いることにより指示される。
【００４５】
図２は、第１実施形態のウイルス除去装置１の動作説明図である。まず、図２を用いて患部について説明し、その後、ウイルス除去装置１の動作説明をする。子宮頸癌の原因であるＨＰＶは、子宮口Ｕ周辺の扁平上皮円柱上皮境界（Ｓｑｕａｍｏ−ｃｏｌｕｍｎａｒ  Ｊｕｎｃｔｉｏｎ：ＳＣＪ）に感染しやすいため、ＳＣＪは子宮頸癌の好発部位である。このため、子宮口Ｕまたは子宮口Ｕ周辺の膣円蓋部Ｖが患部となりやすい。本実施形態において、患部とは、子宮頸癌の原因となるウイルス（ＨＰＶ）が存する部位である。
【００４６】
図２に示すように、ウイルス除去装置１を使用する場合、準備段階として、膣鏡Ｋによって膣が拡げられた状態で、抗炎症作用・抗腫瘍活性作用のある薬剤を患部に供給する。薬剤の供給方法は、必ずしも限定するものではないが、薬剤を散布することによって供給することが好ましい。その後、ウイルス除去装置１の駆動軸３１の先端にある接触部２０を膣口から挿入する。そして、接触部２０が、子宮口Ｕに到達する。ここで、駆動制御部１１からの指示に従い、接触部２０は、駆動軸３１を中心軸にして、正回転方向または逆回転方向に回転する。そして、操作者が、操作部４０を操作して接触部２０を患部に接触させるか必要に応じて押し当てると、接触部２０が患部の組織を擦り取る。すると、組織内に存するウイルスが物理的に除去される。
【００４７】
また、子宮頸癌の原因となるＨＰＶは、子宮口Ｕ周辺に存在するＳＣＪのみならず、膣円蓋部Ｖにも存在し得る。この場合、図２に示すように、必要に応じて接触部２０の位置を膣円蓋部Ｖにも移動させることで、膣円蓋部Ｖにある組織を擦り取ることができる。
【００４８】
以上のように、本実施形態によれば、接触部２０が患部に接触して組織を擦り取ることで、組織に含まれるウイルスを除去する。これにより、確実に子宮口Ｕ周辺及び膣のウイルスを除去することができる。一方で、組織は再生されるため、治療による副作用のおそれが極めて少ない。これにより、安全に子宮口Ｕ周辺及び膣のウイルスを除去することができる。また、接触部２０の大きさは膣口に挿入可能な程度の小さいものであり、駆動源１０の出力は、接触部２０を駆動する程度の小さな出力でよいため、大掛かりな設備を必要としない。このため、ウイルス除去装置１はシンプルな構成である。さらに、操作者が操作部４０の位置を操作して患部に対して接触部２０を接触または押圧するだけで、駆動源１０により駆動される接触部２０が患部の組織を除去する。これにより、接触部２０を手作業で動かして組織を擦り取る場合と比較して、患部の組織を効率よく擦り取ることができる。
【００４９】
また、本実施形態のように、長尺の駆動軸３１の回転に伴い接触部２０が回転すると、ユーザが回転動作を行う必要がなくなり、患部の組織を効率よく擦り取ることができる。また、接触部２０が正回転及び逆回転のいずれの方向にも回転可能に構成されることにより、一方向のみに回転する場合と比較して、患部の組織をさらに効率よく擦り取ることができる。
【００５０】
また、本実施形態のように、接触部２０が円錐状であると、円錐状における先端部は子宮口Ｕに入りやすくなるとともに、円錐状における側面は子宮口Ｕ周辺の子宮頸管部に効果的に接触する。すると、接触部２０の側面がＳＣＪの広い範囲に接触することとなる。これにより、患部の組織の除去を効率よく行うことができる。
【００５１】
また、本実施形態では、接触部２０を、交換可能に構成する。これにより、接触部２０の形状や大きさを患部に合わせて変更することができるため、患部の組織の除去を効率よく行うことができる。また、接触部２０を清潔な状態のものに交換することで、衛生状態を良好に保てるため、治療を安全にすることができる。
【００５２】
また、本実施形態のように、接触部２０が、軟質の素材により構成されると、患部を傷つけることなく、組織の除去をさらに安全に行うことができる。
【００５３】
また、本実施形態のように、患部に対して光を照射する光照射部５０を備えると、光照射部５０から照射された光が患部を照らすので、患部における視認性が高まる。これにより、患部の組織の除去をさらに効率よく行うことができる。
【００５４】
また、本実施形態のように、操作部４０は、動力伝達部３０と一体的に構成され、ユーザが把持するための把持部４５を有する。このような構成とすれば、ユーザが把持部４５を把持して操作部４０を動かすと、操作部４０と一体的に構成される動力伝達部３０を介して、接触部２０を直接操作することができる。
【００５５】
また、本実施形態のように、駆動源１０は、操作部４０と一体的に配置されることとすると、駆動源１０を別途持ち運ぶ必要がなく、シンプル且つ携帯性に優れた構成となる。
【００５６】
また、本実施形態のように、駆動制御部１１を備え、駆動制御部１１が、操作者の指示に基づいて駆動源１０の駆動を制御することとすると、操作者の制御内容（本実施形態においては、回転開始、回転停止、回転数、回転方向、回転時間等）を駆動源に伝達することができる。このため、操作者は、駆動源１０を用いて、接触部２０の回転について所望の制御を行うことができる。
【００５７】
上述の本実施形態では、接触部２０の患部との接触面の構成について特に言及しなかったが、接触部２０の接触面に凹凸の模様を施してもよい。図３は、第１実施形態の変形例の接触部２１を示す図であり、（Ａ）が接触部２１の拡大斜視図、（Ｂ）が凹凸部分の拡大断面図である。
【００５８】
図３（Ａ）に示すように、円錐状の接触部２１の側面には、凸部２１ａと凹部２１ｂからなる格子状の模様が形成される。本実施形態においては、図３（Ｂ）に示すように、格子状に突出している部分が凸部２１ａであり、凸部２１ａと比べて窪んでいる部分が凹部２１ｂである。接触部２１の側面は、患部に接触する接触面となる。
【００５９】
このように構成することで、接触面が平滑な場合と比較して、凸部２１ａが弾性変形しやすくなり、凸部２１ａが患部の組織を除去しやすくなる。すると、患部の組織の除去をさらに効率よく行うことができる。
【００６０】
なお、接触面の構造は、本変形例に限定されるものではない。例えば、格子状の模様を凹部にして、四角柱形状の複数の凸部が形成されることとしてもよい。また、接触部の側面に形成される凹凸の模様を、格子状の模様以外のものとしてもよい。
【００６１】
本実施形態では、把持部４５が本体４０Ａの表面に形成されることとしたが、これに限るものではない。図４は、第１実施形態の変形例の把持部４６を示す図である。
【００６２】
図４に示すように、ウイルス除去装置２の操作部４７は、駆動軸３１の軸方向に延びるように構成される本体４７Ａと、本体４７Ａの側面に一体的に配置される把持部４６を有する。把持部４６は、ユーザが把持しやすい柱状に形成される。本実施形態の把持部４６の柱状の長手方向は、駆動軸３１の軸方向と交差する方向である。ここで、交差する方向とは、直交する方向を含む概念であり、部材が機能を果たす程度に、直交する方向に対して傾いている方向も含む概念である。把持部４６には、駆動指示部４１が配置される。このように、把持部４６を、操作部４７の本体４７Ａの側面から、駆動軸３１と交差する方向に延設するように構成してもよい。
【００６３】
また、ウイルス除去装置２の動力伝達部３４は、駆動軸３１と、取付部材３２ａを有する。取付部材３２ａは、駆動軸３１の側面を径方向外側から挟み込んで、駆動軸３１を本体４７Ａに固定する。このため、駆動軸３１及び駆動軸３１と一体に構成される接触部２０は、交換可能である。
【００６４】
［第２実施形態］
第２実施形態のウイルス除去装置３について、図面を用いて説明する。ウイルス除去装置３は、接触部２２の構成のみが前述の実施形態と異なっている。前述と同様の構成については、同一符号を付す等して説明を省略する。また、前述と同様の作用効果を有する構成については説明を省略する。また、接触部２２の大きさ、材質、及び駆動軸３１に対する位置関係は、第１実施形態の接触部２０とほぼ同様であるので、説明を省略する。
【００６５】
図５は、第２実施形態のウイルス除去装置３の全体斜視図である。図５に示すように、接触部２２は、中央部２２ａが円錐状であって、中央部２２ａから連続して配置される周縁部２２ｂが皿状である。
【００６６】
中央部２２ａは、駆動軸３１の軸方向と直交する径方向の中央部２２ａの大きさが、先端から動力伝達部３０に近くなるに連れて、次第に大きくなるように構成される。中央部２２ａの先端の大きさは、子宮口Ｕに入り込む程度の大きさである。なお、本実施形態では、中央部２２ａは、先端から動力伝達部３０に近くなるに連れて連続的に径が大きくなる円錐状である。しかしながら、これに限るものではなく、中央部２２ａの側面の一部に同径からなる円柱状の部分が含まれていてもよい。
【００６７】
周縁部２２ｂは、中央部２２ａの端部（動力伝達部３０側の端部）に連続して配置され、かつ軸方向と直交する径方向に拡がる皿状に形成される。具体的には、周縁部２２ｂは、中央部２２ａと連続する内縁側から径方向外側にいくに連れて次第に中央部２２ａの先端側に湾曲する皿状である。
【００６８】
図６は、第２実施形態のウイルス除去装置３の動作説明図である。図６に示すように、ウイルス除去装置３の使用時には、前述の準備段階の手順を終えた後、駆動軸３１の先端にある接触部２２が、子宮口Ｕに到達する。ここで、駆動制御部１１からの指示（回転開始、回転停止、回転数、回転方向、回転時間等）に従って、接触部２２は、駆動軸３１を中心軸にして、正回転方向または逆回転方向に回転する。そして、操作者が、操作部４０を操作して接触部２２を患部に接触させるか必要に応じて押し当てると、接触部２２が患部の組織を擦り取る。
【００６９】
ここで、接触部２２の中央部２２ａは、その先端が子宮口Ｕ内に入り込む。このため、中央部２２ａの側面は、子宮口Ｕ周辺の子宮頸管部に効果的に接触する。このように、中央部２２ａを円錐状に構成することで、中央部２２ａの側面がＳＣＪの広い範囲に接触することとなる。また、図６に示すように、接触部２２の周縁部２２ｂは、子宮口Ｕ近傍の膣円蓋部Ｖに接触する。これにより、ＳＣＪや膣円蓋部Ｖにおいて、患部の組織の除去を効率よく行うことができる。
【００７０】
以上のように、本実施形態によれば、接触部２２の中央部２２ａを円錐状に構成する。これにより、中央部２２ａの先端が子宮口Ｕに入りやすくなる。そして、円錐状の中央部２２ａの側面は、子宮口Ｕ周辺の子宮頸管部に効果的に接触する。また、接触部２２における周縁部２２ｂを皿状に湾曲するように構成することで、子宮口Ｕに近い膣円蓋部Ｖに対して接触部２２の周縁部２２ｂが接触する。子宮頸癌の原因となるＨＰＶは膣円蓋部にも存在し得る。このため、上述の接触部２２の構成により、接触部２２が子宮口Ｕ周辺及び膣円蓋部Ｖの広い範囲で組織を除去することが可能となり、患部の組織をさらに効率よく擦り取ることができる。
【００７１】
［第３実施形態］
第３実施形態のウイルス除去装置４について、図面を用いて説明する。ウイルス除去装置４は、接触部２３の構成のみが前述の実施形態と異なっている。前述と同様の構成については、同一符号を付す等して説明を省略する。また、前述と同様の作用効果を有する構成については説明を省略する。また、接触部２３の大きさ、材質、及び駆動軸３１に対する位置関係は、第１実施形態の接触部２３とほぼ同様であるので、説明を省略する。
【００７２】
図７は、第３実施形態のウイルス除去装置４の全体斜視図である。図７に示すように、接触部２３は、四角形状の部材にて構成され、四角形状の部材の外周に形成され患部と接触する接触面には、突起２３ａが複数形成される。本実施形態において、突起２３ａは、四角形状の部材の４辺のうち、接触部２３の先端側の辺と軸方向と直交する方向にある２辺の合計３辺に形成される。本実施形態においては、突起２３ａは、複数形成される。具体的には、突起２３ａは、先端側の辺に２つ、その他の２辺に３つずつ形成される。しかしながら、突起２３ａの数や大きさは、これに限るものではない。
【００７３】
図８は、第３実施形態のウイルス除去装置４の動作説明図である。図８に示すように、ウイルス除去装置４の使用時には、前述の準備段階の手順を終えた後、駆動軸３１の先端にある接触部２３が、子宮口Ｕに到達する。ここで、駆動制御部１１からの指示（回転開始、回転停止、回転数、回転方向、回転時間等）に従って、接触部２３は、駆動軸３１を中心軸にして、正回転方向または逆回転方向に回転する。そして、操作者が、操作部４０を操作して接触部２３を患部に接触させるか必要に応じて押し当てると、接触部２３が患部の組織を擦り取る。また、図８に示すように、接触部２３の位置を子宮口Ｕ周辺から膣円蓋部Ｖにも移動させることで、広い範囲においてウイルスを除去する。
【００７４】
以上のように、本実施形態によれば、接触部２３を四角形状の部材として患部との接触面に突起２３ａを設けると、突起２３ａが患部の組織を効果的に除去する。また、複数の突起２３ａが、同時に患部の組織を除去する。このため、患部の組織の除去を効率よく行うことができる。
【００７５】
上述の本実施形態では、接触部２３の四角形状の部材が単数の場合を例示したが、接触部２４を複数の四角形状の部材から構成されることとしてもよい。図９は、第３実施形態の変形例を示す図である。変形例におけるウイルス除去装置５の接触部２４は、四角形状の第一部材２４Ａと第二部材２４Ｂとから構成され、いずれの部材も複数の突起２４ａが形成される。
第一部材２４Ａと第二部材２４Ｂの構成は、いずれも上述の接触部２３の構成と同様であり、突起２４ａの形状や数は突起２３ａの形状や数と同様であるため、説明を省略する。第一部材２４Ａと第二部材２４Ｂとは軸方向と交差する方向に隣接して配置される。本実施形態においては、第一部材２４Ａは、第二部材２４Ｂよりも、軸方向において図中上方にずれるように配置される。
【００７６】
図９に示すように、接触部２４の２つの部材に対応して、動力伝達部３７は、第一駆動軸３３Ａと、第二駆動軸３３Ｂで構成される駆動軸３３を有する。第一駆動軸３３Ａの先端には第一部材２４Ａが付帯され、第二駆動軸３３Ｂの先端には第二部材２４Ｂが付帯される。第一駆動軸３３Ａと第二駆動軸３３Ｂは、結束部材Ｔにより一体的に固定される。第一駆動軸３３Ａ及び第二駆動軸３３Ｂのうち、第二駆動軸３３Ｂは、取付部材３２によって回転軸３０Ａに取り付けられる。
【００７７】
取付部材３２によって回転軸３０Ａと第二駆動軸３３Ｂとが連結されると、回転軸３０Ａの動力が取付部材３２を介して第一駆動軸３３Ａ及び第二駆動軸３３Ｂへと伝達される。取付部材３２は、少なくとも第二駆動軸３３Ｂを着脱可能に構成する。このため、第二駆動軸３３Ｂやこれに付帯する第二部材２４Ｂや、第二駆動軸３３Ｂに固定される第一駆動軸３３Ａと第一駆動軸３３Ａに付帯する第一部材２４Ａは、交換可能である。
【００７８】
以上のように、本変形例によれば、接触部２４が、複数の四角形状の部材である第一部材２４Ａと第二部材２４Ｂから構成される。このように、複数の部材を用いることで、患部と接触する接触面が広くなる。これにより、患部の組織の除去を効率よく行うことができる。
【００７９】
［第４実施形態］
第４実施形態のウイルス除去装置６について、図面を用いて説明する。前述と同様の構成については、同一符号を付す等して説明を省略する。また、前述と同様の作用効果を有する構成については説明を省略する。図１０は、第４実施形態のウイルス除去装置６の全体斜視図である。図１０に示すように、ウイルス除去装置６は、患部に接触する接触部２５と、駆動源１０によって発生した動力を接触部２０に伝達する動力伝達部３８を有する。駆動源１０、操作部４０、光照射部５０の構成は前述の実施形態と同様の構成である。
【００８０】
本実施形態の接触部２５は、三角形状の部材にて構成される。三角形状の部材は、後述の駆動軸３６が配置される面を裏面２５Ｂとし、裏面２５Ｂと反対の面を表面２５Ａとする。そして、接触部２５の表面２５Ａが、患部と接触する接触面となる。
【００８１】
本実施形態の動力伝達部３８は、長尺部３５と、駆動軸３６と、長尺部３５を操作部４０に対して取り付けるための取付部３２ｄから構成される。長尺部３５は、少なくとも、接触部２５を子宮口Ｕに到達させることができる程度の長さに構成される。駆動軸３６は、長尺部３５の先端に配置され、駆動源１０から伝達された動力によって駆動される回転軸である。駆動軸３６の軸方向は、長尺部３５に対して直交または交差する方向である。また、駆動軸３６は、接触部２５の裏面２５Ｂに取付けられる。取付部３２ｄは、長尺部３５を操作部４０に対して一体的に構成するための部材である。このため、長尺部３５及び駆動軸３６を介して長尺部３５と一体となっている接触部２５は、交換可能である。
【００８２】
取付部３２ｄ及び長尺部３５の内部には、駆動源１０の動力を伝達する機構が備えられる。この構成により、取付部３２ｄに対して長尺部３５が連結されると、駆動源１０の動力が駆動軸３６へと伝達される。
【００８３】
この構成により、ユーザが駆動指示部４１を用いて指示をすると、駆動制御部１１が駆動源１０を用いて駆動軸３６を回転させる。ここで、駆動軸３６は、一方向（正回転方向）に回転するのみならず、他方向（逆回転方向）にも回転する。このため、接触部２５は、駆動軸３６を中心軸として、正回転方向にも逆回転方向にも回転する。接触部２５の回転方向は、操作者が駆動指示部４１を用いることにより指示される。
【００８４】
図１１は、第４実施形態のウイルス除去装置６の動作説明図である。図１１に示すように、前述の準備段階の手順を終えた後、ウイルス除去装置６の駆動軸３６の先端にある接触部２５を膣口から挿入する。そして、接触部２５が、子宮口Ｕまたはその周辺の膣円蓋部Ｖに到達する。ここで、駆動制御部１１からの指示（回転開始、回転停止、回転数、回転方向、回転時間等）に従い、接触部２５は、駆動軸３６を中心軸にして、正回転方向または逆回転方向に回転する。そして、操作者が、操作部４０を操作して接触部２５の表面２５Ａを患部に接触させるか必要に応じて押し当てると、接触部２５が患部の組織を擦り取る。すると、組織内に存するウイルスが物理的に除去される。
【００８５】
以上のように、本実施形態によれば、長尺部３５と交差する方向に配置される駆動軸３６を中心に接触部２５を配置することで、接触部２５が膣円蓋部Ｖに対して効率よく接触する。また、駆動源１０の動力が接触部２５を回転させることで、接触部２５が組織を擦り取る作業を補助する。これにより、患部の組織の除去を効率よく行うことができる。また、本実施形態のように、接触部２５を三角形状の部材にて構成されることとすれば、患部の組織の除去を効率よく行うことができる。
【００８６】
本実施形態では、接触部２５の患部との接触面に特別な構造を施していないが、接触面の構造は、これに限るものではない。次に、接触面に特別な構造を施した例を説明する。図１２は、第４実施形態の変形例の接触部２６を示す図であり、（Ａ）が接触部２６を表面２６Ａから見た図であり、（Ｂ）が（Ａ）におけるＸ−Ｘ断面図である。
【００８７】
図１２に示すように、接触部２６を三角形状の部材にて構成するとともに、接触部２６における患部との接触面である表面２６Ａに、複数の突起２６ａを形成することとしてもよい。本変形例の複数の突起２６ａは、図１２（Ｂ）に示すように、半球状の形状であり、三角形状の表面２６Ａにおいて均等に配置される。このように、接触面である表面２６Ａに複数の突起２６ａが形成されると、複数の突起２６ａが患部の組織を擦り取る。これにより、突起２６ａが患部の組織の除去を効率よく行うことができる。
【００８８】
上述の本実施形態では、駆動軸３６が回転することで、接触部２５が回転運動をしたが、接触部２５の駆動方法はこれに限るものではない。図１３は、第４実施形態において接触部２５が揺動する例を示す図である。図１３に示すように、ウイルス除去装置７では、駆動軸３６が揺動するため、接触部２５が、駆動制御部１１からの指示（揺動開始、揺動停止、揺動回数、揺動方向、揺動時間等）に従い、駆動軸３６を中心として揺動する。すると、接触部２５が組織を擦り取る作業を補助する。これにより、患部の組織の除去を効率よく行うことができる。
【００８９】
上述の本実施形態では、駆動軸３６が回転または揺動することとしたが、接触部２５の駆動方法はこれに限るものではない。例えば、接触部２５が所定の方向に振動（往復運動）をすることとしてもよい。図１４は、第４実施形態において接触部２５が前後方向に振動する例を示す図である。図１４に示すように、ウイルス除去装置８では、動力伝達部３８が操作部４０に対して前後方向に振動する。なお、ここでの前後方向とは、接触部２５の表面２５Ａと裏面２５Ｂの方向であり、接触部２５の表面２５Ａ側を前方、接触部２５の裏面２５Ｂ側を後方とする。
【００９０】
図１５は、第４実施形態において接触部２５が前後方向に振動する例の動作説明図である。図１５に示すように、ウイルス除去装置８の使用時には、前述の準備段階の手順を終えた後、ウイルス除去装置８の駆動軸３６の先端にある接触部２５を膣口から挿入する。そして、接触部２５が、子宮口Ｕまたはその周辺の膣円蓋部Ｖに到達する。ここで、駆動制御部１１からの指示（振動開始、振動停止、振動回数、振動方向、振動時間等）に従い、接触部２５は、前後方向に振動し、患部を叩いて除去する。
【００９１】
また、接触部２５が患部を叩くように往復運動することで、組織の内部にあったウイルスが組織の表面側に浮き立つように移動する。これにより、治療効果をさらに高めることができる。これにより、患部の組織の除去を効率よく行うことができる。
【００９２】
また、ウイルス除去装置８の接触部２５の振動方向は、前後方向のみに限るものではない。図１６は、第４実施形態において接触部２５が左右方向に振動する例の動作説明図である。図１６に示すように、取付部３２ｄの長尺部３５と反対側の端部３２ｄ１が往復運動することで、長尺部の先端に配置される接触部２５が、駆動制御部１１からの指示（振動開始、振動停止、振動回数、振動方向、振動時間等）に従い、左右方向に振動する。ここで、左右方向とは、接触部２５の表面２５Ａと接触する患部における接触面に対して、平行となる方向である。これにより、接触部２５が組織を擦り取る作業を補助するため、患部の組織の除去を効率よく行うことができる。
【００９３】
次に、上述のウイルス除去装置を用いたウイルス除去システム８０の説明をする。図１７は、ウイルス除去システム８０の模式図である。図１７では、ウイルス除去装置１をウイルス除去システム８０に用いる例を説明するが、他の実施形態や変形例、またはそれらの組み合わせをしたウイルス除去装置を用いてもよい。
【００９４】
図１７に示すように、ウイルス除去システム８０は、ウイルス除去装置１と、検出部８１と、制御部８２を備える。検出部８１は、患部の位置を検出する。検出部８１は、カメラ等で患部の状態を画像や映像として把握するものであってもよいし、その他の方法で患部の位置を検出するものでもよい。
【００９５】
制御部８２は、ウイルス除去装置１の駆動源１０の駆動の制御、具体的には、駆動制御部１１を介して駆動源１０の駆動開始、駆動停止、回転数及び回転方向の制御をする。また、制御部８２は、操作部４０を操作して接触部２０の位置を制御する。
【００９６】
このように、制御部８２が、検出部８１の検出結果に基づいて操作部４０の位置を操作することで、接触部２０により患部の組織を擦り取る。このような構成とすることにより、操作部４０の操作をユーザによらずとも行うことができる。
【００９７】
［その他の実施形態］
以上、本発明の好ましい実施形態について説明したが、本発明は、これらの実施形態に限定されず、その要旨の範囲内で種々の変形及び変更が可能である。特に、それぞれの実施形態や変形例の構成は、可能な範囲で相互に適用することができる。
【００９８】
また、上述の実施形態では、接触部の動作は、回転、揺動、振動のみであったが、これに限るものではない。例えば、それぞれの動作を組み合わせたものであってもよい。また、接触部が患部の組織を擦り取る結果につながればよいため、接触部が軸方向に動くような動作を加えても構わない。
【００９９】
また、上述の実施形態において、駆動軸が回転する構成の場合、駆動軸の回転数は、低速回転から高速回転まで広い範囲で変更可能とすることが好ましい。例えば、低速回転としては毎分１００回転前後から数百回転、高速回転としては毎分３０００回転から３６００回転程度である。しかしながら、駆動軸の回転数は、必ずしもこれに限られず、ウイルス除去装置の使用状況や患者の様態等によって、適宜変更することができる。
【０１００】
以上、本発明の実施形態を説明したが、これらの実施形態の使用に伴う効果と実績について説明する。上述のウイルス除去装置は、接触部により患部の組織を擦り取る構造である。このため、本実施形態のウイルス除去装置は、子宮頸癌になる前の前癌病変の状態（軽度から高度までの異形成）の治療及び軽度の子宮頸癌（例えばステージ１）にも効果を発揮する。このように、上述のウイルス除去装置は、子宮頸癌の予防にも効果がある。
【０１０１】
また、上述のウイルス除去装置の接触部は膣口から挿入可能であるので、開腹作業等を必要としない。このため、入院や手術を必要とせず、通院のみでの治療が可能であり、患者の肉体的負担が少ない。なお、上述のウイルス除去装置を利用する場合、１回１０分前後の治療を、平均８０回行うことで、ウイルスが除去できる。
【０１０２】
また、上述のウイルス除去装置では、レーザー等を発生させるためまたは制御するための大掛かりな設備を必要とせず、費用も安く済むため、患者の経済的負担が少ない。さらに、上述のウイルス除去装置は、携帯可能な小型のものであるため、装置を運ぶことが容易である。このため、経済的に豊かではなく、子宮頸癌が多発しており、インフラの設備が進んでないアフリカ地域などにおいても、子宮頸癌の予防や治療を行うことができる。
【０１０３】
次に、これらの実施形態の使用実績を説明する。上記実施形態のウイルス除去装置は、正常状態や異形成の状態における子宮頸癌の予防、及び比較的軽度の病期（I期前後）の子宮頸癌の治療が可能である。治療実績としては、２０５の実施例のうち、２０５の例で完治している。完治を確認するための検査は、シュアパス法（Ｓｕｒｅ  Ｐａｔｈ法）液状化検体細胞診システムによる細胞診にて行った。同時に、ＰＣＲ法で１０日おきに３回行うことでＨＰＶの感染の有無を確認し、ＨＰＶが検出されなくなる（陰性になる）ことで、ウイルス感染からの完治を確認している。
【符号の説明】
【０１０４】
１、２、３、４、５、６、７、８…ウイルス除去装置
２０、２１、２２、２３、２４、２５、２６…接触部
３０、３４、３７、３８…動力伝達部
４０、４７…操作部
５０…光照射部
８０…ウイルス除去システム
【要約】
【課題】シンプルな構成で確実かつ安全に子宮口周辺及び膣のウイルスを除去する。
【解決手段】ウイルス除去装置１は、動力を発生させる駆動源１０と、子宮口周辺または膣における患部に接触する接触部２０と、駆動源１０によって発生した動力を接触部２０に伝達する動力伝達部３０と、接触部２０の位置を操作する操作部４０と、を備え、接触部２０は、駆動源１０によって駆動されつつ操作部４０により操作されることにより、患部の織を擦り取ることを特徴とする。接触部２０が、子宮頸癌の好発部位であるＳＣＪにおいて、患部の組織を擦り取ることで、患部の組織に含まれるウイルスを物理的に除去し、子宮頸癌を予防・治療する。
【選択図】  図１【図１】
0006836047.tif 000002
【図２】
0006836047.tif 000003
【図３】
0006836047.tif 000004
【図４】
0006836047.tif 000005
【図５】
0006836047.tif 000006
【図６】
0006836047.tif 000007
【図７】
0006836047.tif 000008
【図８】
0006836047.tif 000009
【図９】
0006836047.tif 000010
【図１０】
0006836047.tif 000011
【図１１】
0006836047.tif 000012
【図１２】
0006836047.tif 000013
【図１３】
0006836047.tif 000014
【図１４】
0006836047.tif 000015
【図１５】
0006836047.tif 000016
【図１６】
0006836047.tif 000017
【図１７】
0006836047.tif 000018